(57)【特許請求の範囲】
【請求項１】
移動無線通信システム（１Ｂ）における第１及び第２のユーザ装置（ＵＥ１、ＵＥ２）間の通信であって、前記第１のユーザ装置（ＵＥ１）が前記第２のユーザ装置（ＵＥ２）にマルチメディア通話を試みる通信を設定する方法であって、
前記マルチメディア通話に関するビデオゲートウェイ（９）において、前記第１のユーザ装置からマルチメディア通話要求（４４、７４、８４）を受信する工程と、
前記ビデオゲートウェイ（９）と前記第２のユーザ装置（ＵＥ２）間の音声接続を設定するために、前記ビデオゲートウェイ（９）から前記第２のユーザ装置（ＵＥ２）に対して音声通話要求（４８、７８、８９）を送信する工程と、
前記ビデオゲートウェイ（９）と前記第１のユーザ装置（ＵＥ１）間のマルチメディア接続を設定するために、前記マルチメディア通話要求（４４、７４，８４）に応答する工程と、
前記マルチメディア接続で受信したオーディオを前記音声接続に転送し、前記音声接続で受信したオーディオを前記マルチメディア接続に転送する工程と、を備え、
前記方法は、
前記ビデオゲートウェイ（９）と前記第１のユーザ装置（ＵＥ１）間の前記マルチメディア通話にデータコンテンツを供給するＩＭＳコアネットワーク（１０）を招待するために、前記ビデオゲートウェイ（９）から前記ＩＭＳコアネットワーク（１０）に招待メッセージ（８５）を送信する工程と、
前記第１のユーザ装置（ＵＥ１）に、前記マルチメディア接続を介して追加の移動サービスを提供するために、前記ビデオゲートウェイ（９）と前記第１のユーザ装置（ＵＥ１）間の前記マルチメディア接続のビデオチャネルを確立する工程をさらに備えることを特徴とする方法。
【請求項２】
前記マルチメディア通話要求（４４、７４、８４）は、マルチメディア通話解除に関する情報を有し、
前記方法は、前記情報を用いてマルチメディア通話が解除されていることを識別する工程をさらに備え、
前記音声通話要求（４８、７８、８９）を送信する工程は、前記識別することに応じて実行されることを特徴とする請求項１に記載の方法。
【請求項３】
前記方法は、前記マルチメディア通話要求（４４、７４、８４）がマルチメディア通話解除に関する情報を含まない場合、前記ビデオゲートウェイ（９）においてマルチメディア通話要求（４４、７４、８４）を受信すると前記ビデオゲートウェイ（９）から前記第２のユーザ装置（ＵＥ２）に対してマルチメディア通話要求（４６、７６，８７）を送信する工程をさらに備え、
前記音声通話要求（４８、７８、８９）を送信する工程は、前記マルチメディア通話要求（４６、７６，８７）に応じてマルチメディア通話の解除メッセージ（４７、７７、８８）の受信に応じて実行されることを特徴とする請求項１または２に記載の方法。
【請求項４】
前記マルチメディア接続を設定する工程は、
前記ビデオゲートウェイ（９）が、前記マルチメディア接続を介するオーディオ転送において第１のメディアフォーマットが使用されるよう、前記第１のユーザ装置（ＵＥ１）とネゴシエートする工程（４２０、７２０、８２３）と、
前記マルチメディア接続を介して前記第１のユーザ装置（ＵＥ１）にオーディオを転送する際に、前記ネゴシエートされた前記第１のメディアフォーマットを適用する工程と、をさらに備えることを特徴とする請求項１乃至３のいずれか１項に記載の方法。
【請求項５】
前記ＩＭＳコアネットワーク（１０）に前記ビデオゲートウェイ（９）と前記第２のユーザ装置（ＵＥ２）間の接続はビデオが転送されないことを通知する第１のメッセージ（８１９）を、前記ビデオゲートウェイ（９）から前記ＩＭＳコアネットワーク（１０）に送信する工程と、
前記ビデオゲートウェイ（９）において、前記ビデオゲートウェイ（９）が前記ＩＭＳコアネットワーク（１０）からデータコンテンツを受信することを可能にする情報を有する第２のメッセージ（８２０）を、前記ＩＭＳコアネットワーク（１０）から受信する工程と、をさらに備えることを特徴とする請求項１乃至４のいずれか１項に記載の方法。
【請求項６】
前記マルチメディア接続において、ビデオには第２のメディアフォーマットが使用されるよう、前記ビデオゲートウェイ（９）が前記第１のユーザ装置（ＵＥ１）にネゴシエートする工程（８２３）と、
前記ＩＭＳコアネットワーク（１０）からデータコンテンツを受信する工程と、
前記ネゴシエートされた第２のメディアフォーマットを適用し、前記マルチメディア接続を介して、前記ＩＭＳコアネットワーク（１０）から受信された前記データコンテンツを前記第１のユーザ装置（ＵＥ１）に転送する工程と、をさらに備えることを特徴とする請求項１乃至５のいずれか１項に記載の方法。
【請求項７】
第１のユーザ装置（ＵＥ１）が第２のユーザ装置（ＵＥ２）にマルチメディア通話を試みる移動無線通信システム（１Ｂ）において使用されるビデオゲートウェイ（９）であって、
前記ビデオゲートウェイ（９）は、
前記第１のユーザ装置から、前記マルチメディア通話に関する、マルチメディア通話要求（４４、７４、８４）を受信し、
前記第２のユーザ装置（ＵＥ２）への音声接続を設定するために、音声通話要求（４８、７８、８９）を送信し、
前記第１のユーザ装置（ＵＥ１）へのマルチメディア接続を設定するために、前記マルチメディア通話要求（４４、７４、８４）に応答し、
前記マルチメディア接続を介して受信されたオーディオを、前記音声接続に転送し、前記音声接続を介して受信されたオーディオを、前記マルチメディア接続に転送する、ように構成され、
さらに前記ビデオゲートウェイ（９）は、
前記ビデオゲートウェイ（９）と前記第１のユーザ装置（ＵＥ１）間の前記マルチメディア通話にデータコンテンツを供給するＩＭＳコアネットワーク（１０）を招待するために、前記ビデオゲートウェイ（９）から前記ＩＭＳコアネットワーク（１０）に招待メッセージ（８５）を送信し、
前記第１のユーザ装置（ＵＥ１）に、前記マルチメディア接続を介して追加の移動サービスを提供するために、前記マルチメディア接続のビデオチャネルを確立するように構成されることを特徴とするビデオゲートウェイ（９）。
【請求項８】
さらに、
マルチメディア通話が解除されているかを、前記マルチメディア通話要求（４４、７４、８４）に含まれる情報を用いて識別し、
前記識別されたことに応じて前記音声通話要求（４８、７８、８９）を送信する、ように構成されることを特徴とする請求項７に記載のビデオゲートウェイ（９）。
【請求項９】
さらに、
前記ビデオゲートウェイ（９）において前記マルチメディア通話要求（４４、７４、８４）を受信した際に、前記マルチメディア通話要求（４４、７４、８４）がマルチメディア通話解除に関する情報を含まない場合は、前記ビデオゲートウェイ（９）から前記第２のユーザ装置（ＵＥ２）に対してマルチメディア通話要求（４６、７６、８７）を送信し、
前記マルチメディア通話要求（４６、７６、８７）に関する前記マルチメディア通話の解除メッセージ（４７、７７、８８）の受信に応じて、前記音声通話要求（４８、７８、８９）を送信する、ように構成されることを特徴とする請求項７または８に記載のビデオゲートウェイ（９）。
【請求項１０】
さらに、
前記マルチメディア接続を介したオーディオ転送に第１のメディアフォーマットが使用されるよう、前記第１のユーザ装置（ＵＥ１）とネゴシエートし（４２０、７２０、８２３）、
前記マルチメディア接続を介して前記第１のユーザ装置へオーディオを転送する際に、前記ネゴシエートされた前記第１のメディアフォーマットを適用する、ように構成されることを特徴とする請求項７乃至９のいずれか１項に記載のビデオゲートウェイ（９）。
【請求項１１】
さらに、
前記ビデオゲートウェイ（９）と前記第２のユーザ装置（ＵＥ２）間の接続はビデオが転送されないことを前記ＩＭＳコアネットワーク（１０）に通知する第１のメッセージ（８１９）を、前記ＩＭＳコアネットワークに送信し、
前記ビデオゲートウェイ（９）が前記ＩＭＳコアネットワーク（１０）からデータコンテンツを受信することを可能にする情報を有する第２のメッセージ（８２０）を、前記ＩＭＳコアネットワーク（１０）から受信する、ように構成されることを特徴とする請求項１０に記載のビデオゲートウェイ（９）。
【請求項１２】
さらに、
前記マルチメディア接続において、ビデオには第２のメディアフォーマットが使用されるよう、前記第１のユーザ装置（ＵＥ１）にネゴシエートし（８２３）、
前記マルチメディア接続を介して前記ＩＭＳコアネットワーク（１０）から受信した前記データコンテンツを、前記ネゴシエートされた第２のメディアフォーマットを適用して、前記ビデオゲートウェイ（９）と前記第１のユーザ装置（ＵＥ１）の間で送信するように構成されることを特徴とする請求項１０または１１に記載のビデオゲートウェイ（９）。
【請求項１３】
少なくとも１つのメディアゲートウェイ（５５、５８）と、
前記ビデオゲートウェイ（９）と前記第１のユーザ装置（ＵＥ１）間の前記マルチメディア接続を設定及び制御するように構成された発信側のメディアゲートウェイ制御装置（５４）と、
前記ビデオゲートウェイ（９）と前記第１のユーザ装置（ＵＥ１）間の前記音声接続を設定及び制御するように構成された着信側のメディアゲートウェイ制御装置（５７）と、をさらに備え、
前記発信側のメディアゲートウェイ制御装置（５４）及び前記着信側のメディアゲートウェイ制御装置（５７）は、ＩＭＳコアネットワーク（１０）及び少なくとも１つのコンテンツストリーミングサーバ（１７）の少なくともいずれかにおいて、互いに通信するように構成されていることを特徴とする請求項１０乃至１２のいずれか１項に記載のビデオゲートウェイ（９）。
【請求項１４】
請求項７乃至１３のいずれか１項に記載のビデオゲートウェイ（９）を備えることを特徴とする移動無線通信システム（１Ｂ）。
【請求項１５】
ビデオゲートウェイ（９）において使用されるプログラムであって、コンピュータ読み取り可能なコードを備え、前記ビデオゲートウェイ（９）において実行された際に当該ビデオゲートウェイ（９）に、
マルチメディア通話に関連するビデオゲートウェイ（９）において、第１のユーザ装置からマルチメディア通話要求（４４、７４、８４）を受信する工程と、
前記ビデオゲートウェイ（９）と第２のユーザ装置（ＵＥ２）間の音声接続を設定するために、前記ビデオゲートウェイ（９）から前記第２のユーザ装置（ＵＥ２）に対して音声通話要求（４８、７８、８９）を送信する工程と、
前記ビデオゲートウェイ（９）と前記第１のユーザ装置（ＵＥ１）間のマルチメディア接続を設定する工程と、
前記マルチメディア接続を介して受信したオーディオを前記音声接続に転送し、前記音声接続を介して受信したオーディオを前記マルチメディア接続に転送する工程と、
前記ビデオゲートウェイ（９）と前記第１のユーザ装置（ＵＥ１）間の前記マルチメディア通話にデータコンテンツを供給するＩＭＳコアネットワーク（１０）を招待するために、前記ビデオゲートウェイ（９）から前記ＩＭＳコアネットワーク（１０）に招待メッセージ（８５）を送信する工程と、
前記第１のユーザ装置（ＵＥ１）に、前記マルチメディア接続を介して追加の移動サービスを提供するために、前記マルチメディア接続のビデオチャネルを確立する工程と、を実行させるためのプログラム。
【請求項１６】
コンピュータ読み取り可能なコードを備えるプログラムであって、前記ビデオゲートウェイ（９）において実行された際に、当該ビデオゲートウェイ（９）に、請求項２乃至６のいずれか１項に記載の方法の各工程を実行させるための請求項１５に記載のプログラム。
【請求項１７】
請求項１５または１６に記載のプログラムを記録した読み取り可能な記録媒体。
【発明の詳細な説明】
【技術分野】
【０００１】
本発明は、概して、移動無線通信システムにおけるマルチメディア通話の処理に関し、特に、ビデオ通話機能を備えない端末のユーザへのマルチメディア通話を処理する方法及び装置に関する。
【背景技術】
【０００２】
既存の多くの移動無線通信システムが、第３世代パートナーシッププロジェクト（３ＧＰＰ）が定める国際標準仕様の３ＧＰＰ標準規格に準拠している。３ＧＰＰ標準規格は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）として知られる第２世代（２Ｇ）移動無線通信システムの進化に基づくものであり、世界的に適用可能な第３世代（３Ｇ）移動無線通信システムの仕様を定めることを目指している。
【０００３】
３ＧＰＰ標準規格リリース９９以降、３Ｇユーザ装置のユーザが別の３Ｇユーザ装置のユーザにオーディオとビデオの両方を使用するマルチメディア通話を行うことを可能にする機能が含まれている。
【０００４】
２つの３Ｇユーザ装置間でマルチメディア通話を確立するためには、両方の３Ｇユーザ装置ともマルチメディア通信が可能であり、３Ｇ移動無線通信システムのサービスエリア内にある必要がある。しかし、３Ｇユーザ装置のユーザが、例えば３Ｇユーザ装置を持たない、或いは３Ｇ移動無線通信システムのサービスエリア内にいない別のユーザにマルチメディア通話を試みる場合、移動通信ネットワークノード、すなわち移動通信交換局（ＭＳＣ）は通話要求を解除するであろう。マルチメディア通話を試みているユーザは、次いで、例えば代わりに通常の音声通話を確立すべきかどうか等、通話をどのように行うかの指示を与えるように促されるであろう。
【０００５】
これによりユーザは代わりに音声通話を容易に選ぶことが可能になるが、マルチメディア通話の代わりに音声通話の選択を指示されることは、拒否されたとの印象や扱いにくいものという印象をユーザに与えることも多く、それ以降マルチメディア通話を試みようとするユーザの意欲を削ぐであろう。これは、実際のところユーザは、初めから音声通話を確立することによって、より簡単かつより迅速に同じ結果すなわち通常の音声通話を実現できるため、始めにマルチメディア通話を試みる必要性がないと考えるであろうことによる。
【０００６】
特にこのことは、例えば３Ｇ移動無線通信システムのサービス範囲が２Ｇ移動無線通信システムのサービス範囲ほど広くないエリア、またはほとんどのユーザがまだ３Ｇユーザ装置を持たないエリア等の、マルチメディア通話を首尾よく確立する可能性があまり高くない状況において起こるかもしれない。
【０００７】
このような結果は、エンドユーザが、自身の３Ｇユーザ装置の機能や、３Ｇユーザ装置に与えられているマルチメディアサービス及びその機会を利用しないことにつながる。また、このようなエンドユーザは移動ネットワークオペレータが提供するマルチメディアサービスの使い方に疎くなるだろうから、移動ネットワークオペレータが３Ｇユーザ装置用に新たなマルチメディアサービスを開始しても、そのサービスを当該エンドユーザが使用することは難しいであろう。
【発明の概要】
【発明が解決しようとする課題】
【０００８】
本発明に関する課題は、２Ｇ及び３Ｇ移動無線通信システムにおいて３Ｇユーザ装置を有するユーザに対して、マルチメディア通話及びマルチメディアサービスの使用をどのようにして容易にするかにある。
【課題を解決するための手段】
【０００９】
この課題は、移動無線通信システムにおける第１及び第２のユーザ装置間の通信であって、前記第１のユーザ装置が前記第２のユーザ装置にマルチメディア通話を試みる通信を設定する方法によって解決される。方法は、前記マルチメディア通話に関するビデオゲートウェイにおいて、マルチメディア通話要求を受信する工程と、前記ビデオゲートウェイと前記第２のユーザ装置間の音声接続を設定するために、前記ビデオゲートウェイから前記第２のユーザ装置に対して音声通話要求を送信する工程と、前記ビデオゲートウェイと前記第１のユーザ装置間のマルチメディア接続を設定するために、前記マルチメディア通話要求に応答する工程と、前記マルチメディア接続で受信したオーディオを前記音声接続に転送し、前記音声接続で受信したオーディオを前記マルチメディア接続に転送する工程と、を備えることを特徴とする。
【００１０】
３Ｇユーザ装置のユーザには、マルチメディア通話を確立できないユーザ装置と音声通信を行えるように当該マルチメディア通話を処理することが可能な、より使いやすいマルチメディア通話サービスが提供される。これは、マルチメディア通話の接続を切り、代わりに通常の音声通話を確立するようにユーザに促すことなしに実行される。それ故、相手のユーザ装置へのマルチメディア通話を確立することができない場合、３Ｇユーザ装置のユーザに、マルチメディア通話の代わりに音声通話を能動的に選択させる弊害もまた解消されるであろう。
【００１１】
これは、３Ｇユーザ装置のユーザに提供されるマルチメディアサービスの利用率の増加ももたらし、当該ユーザが３Ｇユーザ装置の機能及びそれに付随するマルチメディアサービスの利点を容易にかつ十分に使用することも可能にするであろう。
【００１２】
本発明の目的は、ビデオゲートウェイに、前記ビデオゲートウェイが、前記マルチメディア接続のビデオ転送において第２のメディアフォーマットが使用されるよう、前記第１のユーザ装置とネゴシエートする工程と、少なくとも１つのコンテンツストリーミングサーバから前記ビデオゲートウェイにデータコンテンツを転送するために、前記ビデオゲートウェイが、前記少なくとも１つのコンテンツストリーミングサーバとシグナリングを行う工程と、前記少なくとも１つのコンテンツストリーミングサーバからデータコンテンツを受信する工程と、前記ネゴシエートされた前記第２のメディアフォーマットを適用して、前記少なくとも１つのコンテンツストリーミングサーバから前記第１のユーザ装置に前記マルチメディア接続を介してデータコンテンツを転送する工程と、を備えることによってさらに達成される。
【００１３】
本発明の目的は、前記ビデオゲートウェイと前記第１のユーザ装置間の前記マルチメディア通話のデータコンテンツを供給するＩＭＳコアネットワークを招待するために、前記ビデオゲートウェイから前記ＩＭＳコアネットワークに招待メッセージを送信する工程をさらに備えることによってさらに達成される。
【００１４】
上述の本発明のさらなる利点は、マルチメディア通話の継続期間中に、３Ｇユーザ装置のユーザに追加のマルチメディアサービスを提供しうることである。
【００１５】
本発明の目的は、移動無線通信システムにおいてマルチメディア通話の解除を処理する方法によっても達成され、方法は、移動通信交換局において、ユーザ装置からマルチメディア通話発信の解除を示すメッセージを受信する工程を備え、前記方法はさらに、前記解除を示すメッセージを受信した際に、前記移動無線通信システムにおいて、前記ユーザ装置に関するマルチメディア通話要求を、前記移動通信交換局からビデオゲートウェイに送信する工程を備えることをさらに特徴とする。
【００１６】
本発明の目的は、第１のユーザ装置が第２のユーザ装置にマルチメディア通話を試みる移動無線通信システムにおいて使用されるビデオゲートウェイによっても達成され、ビデオゲートウェイは、前記マルチメディア通話に関する、マルチメディア通話要求を受信し、前記第２のユーザ装置への音声接続を設定するために、音声通話要求を送信し、前記第１のユーザ装置へのマルチメディア接続を設定するために、前記マルチメディア通話要求に応答し、前記マルチメディア接続を介して受信されたオーディオを、前記音声接続に転送し、前記音声接続を介して受信されたオーディオを、前記マルチメディア接続に転送する、ように構成されることを特徴とする。
【００１７】
本発明の目的は、移動無線通信システムにおいて使用される移動通信交換局によっても達成され、移動通信交換局は、ユーザ装置からマルチメディア通話発信の解除を示すメッセージを受信した際に、前記移動無線通信システムにおいて、前記ユーザ装置に関するマルチメディア通話要求をビデオゲートウェイに送信するように構成されることを特徴とする。
【００１８】
本発明の目的は、ビデオゲートウェイにおいて使用されるプログラムでも達成され、このプログラムは、コンピュータで読み取り可能なコードを備え、前記ビデオゲートウェイにおいて実行された際に当該ビデオゲートウェイに、前記マルチメディア通話に関連するビデオゲートウェイにおいて、マルチメディア通話要求を受信する工程と、前記ビデオゲートウェイと前記第２のユーザ装置間の音声接続を設定するために、前記ビデオゲートウェイから前記第２のユーザ装置に対して音声通話要求を送信する工程と、前記ビデオゲートウェイと前記第１のユーザ装置間のマルチメディア接続を設定する工程と、前記マルチメディア接続で受信したオーディオを前記音声接続に転送し、前記音声接続で受信したオーディオを前記マルチメディア接続に転送する工程とを実行させる。
【００１９】
本発明の別の利点は、本発明がユーザにマルチメディアサービスの使用に馴れるようにすることである。
【００２０】
方法、ビデオゲートウェイ、移動ソフトスイッチソリューション及びコンピュータプログラムのさらに有利な実施形態は、本発明のさらに有利な実施形態について述べる従属請求項に記載されている。
【図面の簡単な説明】
【００２１】
【図１】従来技術に係る移動無線通信システムを示す図である。
【図２】本発明に係る移動無線通信システムを示す図である。
【図３】本発明の一実施形態に係るビデオゲートウェイの動作例を示す図である。
【図４】本発明の一実施形態に係るビデオゲートウェイの動作例を表すシグナリング図である。
【図５】本発明の一実施形態に係るビデオゲートウェイを示す図である。
【図６】本発明の一実施形態に係るビデオゲートウェイの動作例を表す別のシグナリング図である。
【図７】本発明の一実施形態に係るビデオゲートウェイの別の動作例を示す図である。
【図８】本発明の一実施形態に係るビデオゲートウェイの動作例を表すさらに別のシグナリング図である。
【図９】本発明の一実施形態に係る移動通信交換局の動作例を示す図である。
【図１０】本発明の一実施形態に係る移動通信交換局の別の動作例を示す図である。
【発明を実施するための形態】
【００２２】
以下、添付図面を参照して、本発明をより詳細に説明する。
【００２３】
図１は、従来技術に係る移動無線通信システム１Ａの概観を示す。図１は、３Ｇユーザ装置ＵＥ１が移動ソフトスイッチソリューション（ＭＳＳ：Mobile Soft Switch Solution）２１に関係する３Ｇサービスエリア２に存在し、ユーザ装置ＵＥ２が移動ソフトスイッチソリューション（ＭＳＳ）２２に関係する２Ｇサービスエリア１６に存在している、例示的な状況を示している。この例示的な状況は、従来技術に係る移動無線通信システムの課題を説明することに役立つ。
【００２４】
例えば図１の例示的な状況によれば、３Ｇユーザ装置ＵＥ１のユーザがユーザ装置ＵＥ２のユーザにマルチメディア通話を試みる場合、ＭＳＳ２２は通話を解除するであろう。ＭＳＳ２２は、ユーザ装置ＵＥ２のユーザが２Ｇサービスエリア１６内だけにいる、またはユーザ装置ＵＥ２が３Ｇユーザ装置ではないと認識した場合、マルチメディア通話を解除するであろう。ＭＳＳ２２は、ＭＳＳ２１に解除（release）メッセージを送信することによってマルチメディア通話を解除することになる。従来技術では、ＭＳＳ２１は、ＭＳＳ２２から解除メッセージを受信してマルチメディア通話を解除し、それを受けて３Ｇユーザ装置ＵＥ１は、ユーザが代わりにユーザ装置ＵＥ２への通常の音声通話の確立を望むかどうかを指示するように、当該ユーザに促すであろう。上記で説明した理由から、このことは、３Ｇユーザ装置のユーザがマルチメディアサービスを使用することを減少させ、それ故に、ユーザが３Ｇユーザ装置の機能を十分に利用して、マルチメディアサービスの利点を楽しむ機会を不可能にする。
【００２５】
本発明の独創的な特徴によれば、これらの課題は、以下に示される例示的な実施形態の、ビデオゲートウェイ及び移動ソフトスイッチソリューションを備える移動無線通信システムにより解決しうる。ビデオゲートウェイは、移動ソフトスイッチソリューションの助けを借りて、第１のユーザ装置へのマルチメディア接続、及び第２のユーザ装置への音声接続を設定し、次いで第２のユーザ装置の音声接続と第１のユーザ装置のマルチメディア接続とを互いに選択的に相互接続してもよく、それによって、マルチメディア接続の未使用のリソースが種々のマルチメディアストリーミングサービスを提供するためにビデオゲートウェイで使用されてもよい。
【００２６】
図２は、本発明に係る移動無線通信システム１Ｂを示す。図２は、本発明の特徴を適切に説明した状況の一実施形態を示す。
【００２７】
３Ｇユーザ装置ＵＥ１は、無線基地局（ＲＢＳ）４によって提供される３Ｇサービスエリア２内に存在している。ＲＢＳ４は、指定の地理的サービスエリアまたはセル内のユーザ装置に３Ｇと２Ｇの両方のサービスを提供するように構成されてもよい。あるいは、指定の地理的サービスエリアまたはセル内で、あるＲＢＳが３Ｇサービスを提供するように構成され、当該ＲＢＳとは別のＲＢＳが２Ｇサービスを提供するように構成されてもよい。従って、２Ｇサービスエリア３とともに、３Ｇサービスエリア２は、ＲＢＳ４の地理的サービスエリアまたはセルを構成する。３Ｇサービスエリア２と２Ｇサービスエリア３は、別々のエリアをカバーしてもよく、一部、または互いが完全に重なり合うエリアをカバーしてもよい。３Ｇサービスエリア２と２Ｇサービスエリア３はまた、例えばＲＢＳ４の能力または周囲の環境に依存して、異なる大きさ及び形状であってもよい。
【００２８】
一般に、移動無線通信システムでは、ＲＢＳ４などの多数の無線基地局（ＲＢＳ）が無線ネットワーク制御装置（ＲＮＣ）に接続されていることが多い。また、これらのいくつかの無線ネットワーク制御装置（ＲＮＣ）は移動通信交換局（ＭＳＣ）に接続されてもよい。他のノードもまた、移動無線通信システム１Ｂに含まれてもよい。
【００２９】
移動通信交換局（ＭＳＣ）６は、移動ソフトスイッチソリューション（ＭＳＳ）５の一部でもよい。ＭＳＳ５は、メディアゲートウェイ（ＭＧＷ）７も含んでもよい。ＭＧＷ７は、移動無線通信システム１Ｂ内の他のネットワークノードに信号伝達の際に、ＭＳＣ６によって制御及び使用されることができる。ＭＧＷ７は、ＭＳＳ５内のＭＳＣ６をＶＩＧ９と接続するための中間ノードとして使用されてもよい。ＭＳＳ５、ＲＢＳ４及び３Ｇユーザ装置ＵＥ１は、特に図４、６及び８に関連して、以下では発信側（originating）と呼ぶ。
【００３０】
ＭＳＳ５が準拠していてもよい３ＧＰＰ規格リリース９９以降では、３Ｇサービスエリア内に存在する３Ｇユーザ装置間において、オーディオとビデオの両方を備えるマルチメディア通話の確立が可能になっている。ＭＳＳ５は、例えば３ＧＰＰ  ＴＳ  ２６．１１１「回線交換マルチメディア通信サービス用コーデック(Codec for Circuit Switched Multimedia Telephony Service)」の技術仕様書に仕様が定められているマルチメディアプロトコルスイートである３Ｇ−３２４Ｍマルチメディアプロトコルアーキテクチャ（３Ｇ−３２４Ｍ）を用いて、マルチメディア通話を確立してもよい。３Ｇ−３２４Ｍにより、ＭＳＳ５は、例えば異なる移動ソフトスイッチソリューションを接続する３Ｇ回線交換ネットワークを介した３Ｇユーザ装置間の６４ｋｂｉｔ／ｓの非制限デジタル接続などの確立が可能になる。例えば、ＭＳＳ５は、３Ｇ−３２４Ｍを使用して、ＭＳＣ６に関係する３Ｇサービスエリア２内に存在する３Ｇユーザ装置ＵＥ１と、ＭＳＣ１１内のＭＳＣ１２に関係する３Ｇサービスエリア１４等に存在する任意の３Ｇユーザ装置との間において、６４ｋｂｉｔ／ｓの非制限デジタル接続を確立するように構成されてもよい。３Ｇ−３２４Ｍに規定されるデジタル接続は、ＭＳＳ５及びＭＳＳ１１が、３Ｇユーザ装置間における、Ｈ．２２３多重化を使用したオーディオ及びビデオを含むマルチメディアチャネルを提供することを可能にする。
【００３１】
ＭＳＳ５が準拠するかもしれない３ＧＰＰ規格リリース６以降は、さらなる機能を定めている。３ＧＰＰ規格リリース７は、３Ｇ−３２４Ｍを使用する３Ｇユーザ装置間、すなわち移動端末と、ＩＰマルチメディアサブシステム（ＩＭＳ）を用いる他のユーザ装置との間の追加の相互影響機能または相互作用機能をさらに定めている。
【００３２】
ＩＭＳにアクセスできるユーザ装置は、例えばインターネットアクセス能力を備えるラップトップやコンピュータなどの、ＩＭＳコアネットワーク１０へのネットワークアクセス能力を有する、いかなるユーザ装置でもよい。異なるユーザ装置間の相互影響または相互作用は、中間ノード／相互作用点が行ってもよい。図２では、この中間ノード／相互作用点は、ビデオゲートウェイ（ＶＩＧ）９である。ＶＩＧ９は、３Ｇ−３２４ＭとＩＰベースのマルチメディアアーキテクチャとの間の中間ノード／相互作用点として一般に使用される。ＶＩＧ９は、例えば、パケットベースのマルチメディアトランスポートプロトコルＨ．３２３、セッション開始プロトコル（ＳＩＰ）またはリアルタイムストリーミングプロトコル（ＲＴＳＰ）などを使用するように構成されてもよい。要するに、ＶＩＧ９は、回線交換（ＣＳ）ドメインからＩＰドメインへの、またはＩＰドメインからＣＳドメインへの、通話のルーティングを担当してもよい。ＣＳドメインは、例えば、回線交換サービスを提供するネットワーク８から移動ソフトスイッチソリューションＭＳＳ５、１１及びＲＢＳ４、１４への、回線交換ノードのすべてを備えてもよい。図２では移動ソフトスイッチソリューションＭＳＳ５、１１に接続されているように示されているが、ＶＩＧ９は所定の時間に多数のＭＳＳにサービスを提供するように構成されてもよい。ＶＩＧ９は、さらに図３〜８においてより詳細に説明されるだろう。
【００３３】
図２では、ＶＩＧ９はまた、コンテンツストリーミングサーバ（ＣＳＳ：Content Streaming Server）１７に接続され、当該ＣＳＳと通信するように構成されている。ＶＩＧ９は、ＣＳＳ１７に備えられているマルチメディアコンテンツ及びビデオコンテンツを受信するように構成されてもよい。また図２では、ＶＩＧ９は、ＩＰマルチメディアサブシステム（ＩＭＳ）１０に接続され、当該ＩＭＳと通信するように構成されている。ＩＭＳコアネットワーク１０は、移動及び固定のＩＰサービス用のオープン標準マルチメディアアーキテクチャである。ＩＭＳコアネットワーク１０は、例えばネットワーク制御によるマルチメディアサービスを提供するよう、単一のパケット交換ネットワークの中で音声とデータを一体化するために通信事業者によって使用される。
【００３４】
回線交換サービスを提供する移動無線通信ネットワーク８は、図２に示されるように、移動ソフトスイッチソリューションＭＳＳ５と移動ソフトスイッチソリューションＭＳＳ１１とを相互接続する。ＭＳＳ５及びＭＳＳ１１は、移動無線通信システム１Ｂ内の任意の２つの移動ソフトスイッチソリューションでもよい。
【００３５】
ＭＳＳ１１は、同じ複数のノードまたは複数のエンティティを備え、ＭＳＳ５と同種の機能を提供してもよい。すなわち、ＭＳＳ１１は、移動無線通信システム１Ｂ内の他のネットワークノード及びＶＩＧ９の少なくとも一方に信号を伝達する際に使用されてもよい、ＭＧＷ１３に接続されたＭＳＣ１２を備えてもよい。ＭＳＣ１２は、３Ｇサービスエリア１５及び２Ｇサービスエリア１６で示されている３Ｇサービス範囲及び２Ｇサービス範囲を提供してもよいＲＢＳ１４にも接続されてもよい。３Ｇユーザ装置に限らないユーザ装置ＵＥ２は、現在は２Ｇサービスエリア１６内に存在する。ＭＳＳ１１、ＲＢＳ１４及びユーザ装置ＵＥ２は、特に図４、６及び８において、以下では着信側（terminating）と呼ぶ。
【００３６】
図３は、本発明の一実施形態に係るビデオゲートウェイの動作例を示す。図３は特に、移動無線通信システム１Ｂにおいてユーザ装置ＵＥ１とユーザ装置ＵＥ２との間の通信を設定するビデオゲートウェイ（ＶＩＧ）９の動作例を示す。図２に提示される例示的な状況にあるユーザ装置ＵＥ１がユーザ装置ＵＥ２へのマルチメディア通話を試みると、現在ユーザ装置ＵＥ２が関連付けられているＭＳＳ１１は、マルチメディア通話を解除することにより応答するであろう。ＭＳＳ１１は、マルチメディア通話を解除すると直ぐに、現在ユーザ装置ＵＥ１が関連付けられているＭＳＳ５にRELEASEメッセージを送信してもよい。本発明ならびに図９及び１０を参照したより詳細な説明によれば、ＭＳＳ５は、RELEASEメッセージの受信に応答して、マルチメディア通話要求をＶＩＧ９にルーティングしてもよい。
【００３７】
Ｓ３１で、ＶＩＧ９において、ＭＳＳ５からマルチメディア通話に関するマルチメディア通話要求を受信する。
【００３８】
Ｓ３２で、ＶＩＧ９は、音声へのフォールバックを実行する、すなわち、音声通話要求を送信して、ＶＩＧ９と移動無線通信システム１Ｂの着信側のユーザ装置ＵＥ２との間に音声接続を設定する。
【００３９】
Ｓ３３で、ＶＩＧ９は、当該ＶＩＧ９と移動無線通信システム１Ｂの発信側のユーザ装置ＵＥ１間のマルチメディア接続を設定する。
【００４０】
Ｓ３４で、ＶＩＧ９は、マルチメディア接続を通じて移動無線通信システム１Ｂの発信側のユーザ装置ＵＥ１にオーディオを転送し、また音声接続を通じて移動無線通信システム１Ｂの着信側のユーザ装置ＵＥ２にオーディオを転送する。
【００４１】
上述のＶＩＧ９の動作例は、別のユーザ装置へのマルチメディア接続の確立が不可能である場合、３Ｇユーザ装置のユーザに、マルチメディア接続の代わりに音声接続を能動的に選択させる悪影響を解消するであろう。それ故、本発明は、３Ｇユーザ装置のユーザに提供されるマルチメディアサービスの利用率の増加をもたらし、また当該ユーザが３Ｇユーザ装置の機能をより容易かつ十分に利用すること、及びマルチメディアサービスの現在及び将来の利点を享受することも可能にするだろう。
【００４２】
図４は、本発明の例示的実施形態に係るシグナリング図を示す。図４は特に、図３に示された前述の実施形態に係る動作例がどのように実行されうるかをより詳細に表すシグナリング図を示す。
【００４３】
図４では、図２においてＭＳＳ５に関連付けられている３Ｇサービスエリア２内に存在するユーザ装置ＵＥ１は、3G-324M SETUPメッセージ４１をＭＳＳ５に送信する。図２に示されるように、ユーザ装置ＵＥ１及びＭＳＳ５は、移動無線通信システム１Ｂの発信側に構成され、発信側として呼ばれると考えられてもよい。次いでＭＳＳ５は、3G-324M Initial Addressメッセージ（IAM：Initial Address Message）４２を、現在ユーザ装置ＵＥ２が関連付けられているＭＳＳ１１に送信する。ＭＳＳ５及びＭＳＳ１１は、同じノードでもよいことに注意すべきである。例えばユーザ装置ＵＥ２が３Ｇサービス範囲内に存在しないか、またはユーザ装置ＵＥ２が３Ｇユーザ装置ではない際、ＭＳＳ１１がユーザ装置ＵＥ２へのマルチメディア通話を確立できないことを検出する場合、正しい基準によれば、ＭＳＳ１１は、マルチメディア通話を解除し、RELEASEメッセージ４３をＭＳＳ５に送信するであろう。RELEASEメッセージ４３は、解除理由を示す特定の原因コードｘも含んでもよい。
【００４４】
ＭＳＳ１１から恐らく特定の原因コードｘを含むRELEASEメッセージ４３を受信すると、本発明に係る、及び図９及び１０を参照してより詳細を説明したＭＳＳ５は、解除理由を検出し、3G-324M IAMメッセージ４４を転送する。説明のために、ＶＩＧ９は、発信側ＶＩＧｏｒｉｇ及び着信側ＶＩＧｔｅｒｍを備えると見てもよい。3G-324M IAMメッセージ４４は、ＶＩＧ９の発信側、即ちＶＩＧｏｒｉｇに転送され、そこで受信される。ＭＧＣ５４については、図５を参照してさらに説明する。ＶＩＧｏｒｉｇは、3G-324M IAMメッセージ４４を受信すると、3G-324M SETUPメッセージ４５をＶＩＧ９の着信側であるＶＩＧｔｅｒｍに送信する。
【００４５】
図４の破線の領域内に示されるように、ＶＩＧｔｅｒｍは、3G-324M SETUPメッセージ４５を受信すると続いて、3G-324M IAMメッセージ４６をＭＳＳ１１に転送してもよい。ＭＳＳ１１は、ユーザ装置ＵＥ２とのマルチメディア通話がまだ確立されていない場合、RELEASEメッセージ４７をＶＩＧｔｅｒｍへ送信してもよい。ユーザ装置ＵＥ２が現在はマルチメディア通話を受信できるならば、ＭＳＳ１１は、代わりにユーザ装置ＵＥ２へのマルチメディア通話を設定してもよい。メッセージ４６及び４７の送信は必須ではないが、ユーザ装置ＵＥ２の状態を保証するために実行されてもよい。ユーザ装置ＵＥ２は３Ｇサービスエリア１５に移動しているかもしれないし、または現在はユーザ装置ＵＥ２とのマルチメディア通話の設定を可能にする他の変化が、移動無線通信システム１Ｂにおいて生じているかもしれない。RELEASEメッセージ４７は、解除理由を示す特定の原因コードｘも含んでもよい。
【００４６】
他方で、ＭＳＳ５は、3G-324M IAMメッセージ４４の中にRELEASEメッセージ４３において受信した解除理由も含めてもよい。その後解除理由は、3G-324M SETUPメッセージ４５においてＶＩＧ９のＶＩＧｔｅｒｍに転送されてもよい。
【００４７】
ＶＩＧ９のＶＩＧｔｅｒｍがＭＳＳ１１からRELEASEメッセージ４７を受信すると直ぐに、またはＶＩＧｔｅｒｍがＶＩＧｏｒｉｇから、3G-324M SETUPメッセージ４５を受信し、解除理由がその中に含まれるのであれば直接、ＶＩＧｔｅｒｍは、ユーザ装置ＵＥ２への音声通話を要求するIAMメッセージ４８をＭＳＳ１１に送信してもよい。これは、「音声へのフォールバック」メッセージと呼ばれてもよい。これは、ＶＩＧｔｅｒｍを介したＶＩＧｏｒｉｇとＭＳＳ１１に関係するユーザ装置ＵＥ２との間の音声接続を確立するために実行される。
【００４８】
ＭＳＳ１１は、ＶＩＧｔｅｒｍからユーザ装置ＵＥ２へ音声通話を要求するIAMメッセージ４８を受信すると、ＶＩＧｔｅｒｍを介したＶＩＧｏｒｉｇとユーザ装置ＵＥ２との間の音声接続を設定するために、ユーザ装置ＵＥ２に音声SETUPメッセージ４９を送信するであろう。次いで、音声SETUPメッセージ４９は、移動無線通信システム１Ｂのノードを介してユーザ装置ＵＥ２によって応答されてもよい。ALERTINGメッセージ及びアドレス完了メッセージ（ＡＣＭ）４１０〜４１４は、中間ノード（ＭＳＳ１１、ＶＩＧｔｅｒｍ、ＶＩＧｏｒｉｇ、ＭＳＳ５）及びユーザ装置ＵＥ１に、ユーザ装置ＵＥ２のユーザが呼び出されていることを知らせる。接続メッセージ及び応答メッセージ（ＡＮＭ）４１５〜４１９が、中間ノード（ＭＳＳ１１、ＶＩＧｔｅｒｍ、ＶＩＧｏｒｉｇ、ＭＳＳ５）及びユーザ装置ＵＥ１に、ユーザ装置ＵＥ２のユーザが応答したことを知らせる。シグナリング４１０〜４１９は、ＶＩＧｔｅｒｍを介してユーザ装置ＵＥ２とＶＩＧｏｒｉｇとの間の音声接続を確立し、かつユーザ装置ＵＥ１とＶＩＧ９のＶＩＧとの間のマルチメディア接続を設定するシグナリング４２０を可能にするであろう。
【００４９】
ユーザ装置ＵＥ１とＶＩＧｏｒｉｇとの間の、音声接続に係るＶＩＧｔｅｒｍとの相互接続を可能にするマルチメディア接続を設定するために、ＶＩＧｏｒｉｇは、ユーザ装置ＵＥ１とマルチメディア接続を設定するためのシグナリング４２０を実行する。シグナリング４２０は、メディアネゴシエーションシグナリングでもよく、例えば適切なメディアフォーマットをネゴシエートし、マルチメディア接続の中のオーディオ用論理チャネルを開くなどのために行われる。シグナリング４２０は、例えばＨ．２４５プロトコルを使用して行われてもよい。次いで、ＶＩＧｏｒｉｇは、マルチメディア接続の着信信号を分離し、オーディオを、ユーザ装置ＵＥ１とのマルチメディア接続からＶＩＧｔｅｒｍを介してユーザ装置ＵＥ２との音声接続へ、またはユーザ装置ＵＥ２との音声接続からＶＩＧｔｅｒｍを介してユーザ装置ＵＥ１とのマルチメディア接続へ転送する。
【００５０】
上述のシグナリングの結果として、ＶＩＧｏｒｉｇ及びＶＩＧｔｅｒｍを介して、発信側のユーザ装置ＵＥ１と着信側のユーザ装置ＵＥ２との間にオーディオ接続が確立される。ユーザ装置ＵＥ１とＶＩＧｏｒｉｇとの間のマルチメディア接続は、多重プロトコルＨ．２２３を使用しうる６４ｋｂｉｔ／ｓの非制限デジタル接続でもよい。ＶＩＧｏｒｉｇからＭＳＳ１１へのＶＩＧｔｅｒｍを介した音声接続は、例えばＲＴＰ（Real Time Protocol）を使用して行われてもよい。ＭＳＳ１１とユーザ装置ＵＥ２との間の音声接続は、標準２Ｇ  ＴＤＭ（Time Division Multiplexing）接続を使用して行われてもよい。
【００５１】
ＭＳＳ５とＶＩＧ９とＭＳＳ１１との間で適切なシグナリングプロトコルが使用される場合、端から端までのトランスコーダのないシグナリングまたはタンデムフリー(tandem free)動作モードを許すであろう。これは、ユーザ装置ＵＥ１とユーザ装置ＵＥ２との間で共通音声コーデックの使用を実現可能にする。共通コーデックの使用は、音声通信品質に通常悪影響を及ぼす移動無線通信システム１Ｂのトランスコーダの必要性を解消するであろう。このような適切なシグナリングプロトコルの一例はベアラ非依存呼制御ＢＩＣＣ（Bearer Independent Call Control）である。
【００５２】
図５は、本発明の一実施形態に係るビデオゲートウェイ（ＶＩＧ）９を示す。図５のＶＩＧ９は、ＶＩＧ９の発信側のＶＩＧｏｒｉｇ及びＶＩＧ９の着信側のＶＩＧｔｅｒｍを備える。サイトキーパ（ＳＫ：Site Keeper）５６は、ＶＩＧｏｒｉｇとＶＩＧｔｅｒｍとの間の制御プレーンパスにある。ＳＫ５６は、ＶＩＧ９のＶＩＧｏｒｉｇ及びＶＩＧｔｅｒｍに関する入力または出力ルーティングを実行してもよい。
【００５３】
ＶＩＧ９の発信側のＶＩＧｏｒｉｇは、メディアゲートウェイ制御装置（ＭＧＣ：Media Gateway Controller）５４及びメディアゲートウェイ（ＭＧＷ：Media Gateway）５５を備えてもよい。ＶＩＧ９の着信側のＶＩＧｔｅｒｍは、メディアゲートウェイ制御装置（ＭＧＣ）５７及びメディアゲートウェイ（ＭＧＷ）５８を備えてもよい。ＶＩＧｏｒｉｇ及びＶＩＧｔｅｒｍの動作は、ＶＩＧ９内の同じＭＧＣ及びＭＧＷで実行されてもよいことに注意すべきである。図３では２つのＭＧＷだけが示されているが、ＶＩＧ９は１つだけのＭＧＷを含む任意数のＭＧＷを備えてもよいと理解されることにも注意すべきである。
【００５４】
図５では、ＶＩＧｏｒｉｇ及びＶＩＧｔｅｒｍ内のＭＧＷ５５及び５８は、例えばＭＳＳ５及びＭＳＳ１１などの移動通信システム１Ｂの回線交換ネットワークノードと、例えばＩＭＳコアネットワーク１０などのパケット交換ネットワークとの間のメディア通信信号の変換部の機能を果たす。すなわち、ＭＧＷ５５及び５８は、回線交換プロトコルからパケット交換プロトコルへ、及びその逆へ、メディア通信信号を変換してもよい。種々のネットワークは、種々のトランスポートネットワークを介した、例えば、第２世代移動無線通信ネットワーク、インターネット、イントラネット、ローカルエリアネットワーク（ＬＡＮ）及びＡＴＭベースの中継ネットワークなどの中継ネットワーク、ならびに公衆交換電話網（ＰＳＴＮ）及びＩＳＤＮなどの固定電話網でもよい。ＶＩＧｏｒｉｇ及びＶＩＧｔｅｒｍ内のＭＧＷ５５及びＭＧＷ５８は、それぞれメディアゲートウェイ制御装置ＭＧＣ５４及びＭＧＣ５７によって制御される。ＭＧＣ５４及びＭＧＣ５７は、コールエージェントまたは呼制御装置とも呼ばれてもよい。ＭＧＣ５４及び５７は、ＶＩＧ９内のデバイス、ノード及び論理エンティティの少なくとも何れかであってよい。
【００５５】
ＭＧＣ５４は、ＭＳＳ５及び１１から直接シグナリングを受信し、例えば呼ルーティング、接続制御及びネットワーク制御等を処理するためにＭＧＷ５５に指示を与えてもよい。さらに、ＭＧＣ５４は、種々のネットワークの接続相手とのアラーティング（Alerting）、メディア信号の送信及び受信などのタスクの実行をＭＧＷ５５に指示してもよい。ＭＧＣ５４とＭＧＷ５５との間の通信に関しては、例えばＳＧＣＰ、ＩＰＤＣ、ＭＧＣＰ及びＨ．２４８などの複数の異なるプロトコルが使用されてもよい。ＭＧＣ５４は、ＶＩＧ９以外の移動無線通信システム１Ｂの中のネットワークノード、例えばコンテンツストリーミングサーバ（ＣＳＳ）１７などとも相互作用してもよい。外部との相互作用のために、ＭＧＣ５４は、例えばＳＳ７、Ｈ．３２３、ＲＴＳＰ及びＳＩＰなどの他のシグナリングプロトコルを使用してもよい。
【００５６】
本発明のこの実施形態によれば、例えば図３及び４に示される実施形態に従って、ＶＩＧ９によって確立される呼は、ＶＩＧ９で２つの「半」呼（"half” call）として処理される。一方の「半」呼または呼レッグ（call leg）は、移動無線通信システム１Ｂの発信側とＶＩＧｏｒｉｇ内のＭＧＣ５４との間に確立される、すなわちマルチメディア通話であり、他方の「半」呼または呼レッグは、ＶＩＧｏｒｉｇ内のＭＧＣ５４と、ＶＩＧｔｅｒｍ内のＭＧＣ５７を介して移動無線通信システム１Ｂの着信側との間に確立される、すなわち音声通話である。
【００５７】
図５のＭＧＣ５４は、図４の3G-324M SETUPメッセージなどのマルチメディア通話要求を受信し、マルチメディア通話要求を処理するためにメディアゲートウェイＭＧＷ５５を制御してもよい。ＭＧＣ５４は、マルチメディア接続を分離する準備をし、マルチメディアSETUPメッセージをＭＧＣ５７に送信してもよい。ＭＧＣ５４及び５７は、ＳＫ５６を通した通信で、例えばＨ．３２３プロトコルまたはＳＩＰプロトコルを使用してもよい。
【００５８】
上述の様々なエンティティは、例えば機能的及び地理的ニーズ及び機能を実装する製品次第で、移動無線通信システム１Ｂの異なる場所に実装されてもよい異なる論理エンティティを表す。例えば、ＭＧＣ５４、ＭＧＣ５７及びそれらに接続された対応するエンティティ（例えば、ＭＧＷ５５、ＭＧＷ５８及びＳＫ５６）は、図５に示されるように同じノードに配置されるか、または異なる物理ノードに配置されてもよい。同じことは、図２においてＭＳＳ５及び１１内のＭＳＣ６及び１２の機能をサポートする、ＶＩＧ９の機能をサポートする図５のＭＧＷ５５及び５８と同一場所に配置されてもよいＭＧＷ７及び１３にも当てはまる。さらに、ＭＳＳ５及び１１内のＭＳＣ６及び１２もまた、それぞれＭＧＣ５４及び５７と同一場所に配置されてもよい。
【００５９】
上述された本発明の実施形態によれば、ユーザ装置ＵＥ１とユーザ装置ＵＥ２との間にオーディオ通信または音声通信を成立しうる。「半」呼の一方、即ちＶＩＧｏｒｉｇとＶＩＧｔｅｒｍとを介した移動無線通信システム１Ｂの着信側のユーザ装置ＵＥ２との間の音声通話は、音声ベアラを通じて確立されるが、「半」呼の他方、即ちＶＩＧ９のＶＩＧｏｒｉｇと移動無線通信システム１Ｂの発信側のユーザ装置ＵＥ１との間のマルチメディア通話は、例えば６４ｋｂｉｔ／ｓの非制限デジタルベアラなどのマルチメディアベアラを通じて確立される。通常のオーディオ通信だけがマルチメディアベアラを通じて送信されるので、マルチメディアベアラは当然十分に利用されないことになる。
【００６０】
しかし、図６〜８の次の実施形態によれば、本発明は、ユーザ装置ＵＥ１のユーザに追加の移動サービスを提供するために、ＶＩＧ９のＶＩＧｏｒｉｇとユーザ装置ＵＥ１との間のマルチメディア接続のビデオチャネルも確立するようにも拡張されてもよい。マルチメディア接続のビデオチャネルは、マルチメディア接続が使用可能である間、例えば所望のビデオコンテンツ、ビデオストリーム、画像、ユーザ固有の写真もしくは動画、コマーシャル等をユーザ装置ＵＥ１に送信するためにオペレータが使用してもよい。これは、ユーザ装置ＵＥ１のマルチメディアサービス機能を使用するユーザの意欲をさらに増すかもしれない。同様にマルチメディア接続は、以下で示すように、ＶＩＧ９によってＩＭＳドメインを通してルーティングされても、またはコンテンツストリーミングサーバに接続されてもよいため、オペレータが魅力的で柔軟なサービスを起動し、それをユーザに提供することもより容易であろう。
【００６１】
図６は、本発明の一実施形態に係るビデオゲートウェイの別の動作例を示す。この動作例は、図２及び３を参照して前述した状況と同じ状況を言及しており、ユーザ装置ＵＥ１は、ユーザ装置ＵＥ２へのマルチメディア通話を試みる。ＭＳＳ１１は、マルチメディア通話を解除することで応じる。本発明ならびに図９及び１０に関するより詳細な説明によれば、ＭＳＳ５は、マルチメディア通話要求をＶＩＧ９にルーティングしてもよい。
【００６２】
Ｓ６１では、ＶＩＧ９において、ＭＳＳ５からマルチメディア通話に関するマルチメディア通話要求を受信する。
【００６３】
Ｓ６２では、ＶＩＧ９は音声へのフォールバックを実行する、すなわち、音声通話要求を送信して、ＶＩＧ９と移動無線通信システム１Ｂの着信側のユーザ装置ＵＥ２との間に音声接続を設定する。
【００６４】
Ｓ６３では、ＶＩＧ９は、ＶＩＧ９と移動無線通信システム１Ｂの発信側のユーザ装置ＵＥ１との間にマルチメディア接続を設定する。ＶＩＧ９は、ユーザ装置ＵＥ１と例えばＨ．２４５プロトコルを使用してメディアネゴシエーションシグナリングを実行することにより、設定を実行してもよい。
【００６５】
Ｓ６４では、ＶＩＧ９は、マルチメディア接続を通じて移動無線通信システム１Ｂの発信側のユーザ装置ＵＥ１にオーディオを転送し、また音声接続を通じて移動無線通信システム１Ｂの着信側のユーザ装置ＵＥ２にオーディオを転送する。
【００６６】
Ｓ６５では、ＶＩＧ９は、ＩＭＳコアネットワーク１０またはコンテンツストリーミングサーバ１７からのデータコンテンツを、ユーザ装置ＵＥ１へのマルチメディア接続のビデオ用論理チャネルに送信する。
【００６７】
上述のＶＩＧ９の動作例は、図３において述べられた利点のほかに、ユーザ装置ＵＥ１へのマルチメディア接続のビデオ用論理チャネルを使用して、ユーザへの追加のマルチメディアサービスの送信またはストリーミングも可能にする。
【００６８】
図７は、本発明の例示的な実施形態に係る別のシグナリング図を示す。図７は特に、移動無線通信システム１Ｂにおいてユーザ装置ＵＥ１とユーザ装置ＵＥ２との間の通信を設定するための本発明の一実施形態を、より詳細に表す別のシグナリング図を示す。
【００６９】
シグナリング７１〜７１９は、図４のシグナリング４１〜４１９に相当する。しかし、ユーザ装置ＵＥ１へのマルチメディア接続を通じた通信及びＶＩＧｔｅｒｍを介したユーザ装置ＵＥ２へのＶＩＧｏｒｉｇの音声接続を確立する前に、ＶＩＧｏｒｉｇはマルチメディア接続を設定するためにユーザ装置ＵＥ１とのシグナリング７２０を実行する。図４に係るシグナリング４２０に加えて、シグナリング７２０は、適切なメディアフォーマットをネゴシエートし、マルチメディア接続のオーディオ用論理チャネルとビデオ用論理チャネルの両方を開くために行われてもよい。シグナリングは、Ｈ．２４５プロトコルを使用して行われてもよい。
【００７０】
しかし、本実施形態において、ＶＩＧｏｒｉｇ内のＭＧＣ５４は、少なくとも１つのコンテンツストリーミングサーバ（ＣＳＳ）１７に向けてＲＴＳＰ（Real Time Streaming Protocol）シグナリング７２１も実行する。これは、ＣＳＳ１７からＶＩＧｏｒｉｇ内のＭＧＷ５５へのビデオストリームを設定するために行われる。ＲＴＳＰシグナリング７２１は、ＶＩＧ９のＶＩＧｏｒｉｇ内のＭＧＣ５４がＣＳＳ１７からのビデオコンテンツを遠隔から制御することをさらに可能にする。ＲＴＳＰシグナリング用の規格は、ＲＦＣ２３２６に記載されている。ＭＧＣ５４の遠隔制御インタフェースは、標準ＲＴＳＰシグナリングに加え、当該ＲＴＳＰシグナリングの中に以下に述べる情報を含めるように構成されてもよい。この追加情報は、ＲＴＳＰシグナリングメッセージのヘッダに含まれてもよい。
【００７１】
例えば、ユーザ装置ＵＥ１のＢ番号は、ＭＧＣ５４がＣＳＳ１７に向けた記述及び設定要求(Describe and Setup request)の中に含めてもよい。これは、例えば、課金または請求の理由から実行されてもよい。別の例は、ユーザ装置ＵＥ１のユーザによるＤＴＭＦ（Dual-Tone Multi-Frequency）キー押下であり、ＤＴＭＦキーの押下の情報は、ＣＳＳ１７へのパラメータ設定要求(Set_Parameter request)の中にＭＧＣ５４によって含められてもよい。これは、例えば、ユーザのＤＴＭＦキー押下の情報に従って、現在のメディアストリーミングを停止し、新しいメディアストリーミングを開始するようにＣＳＳ１７を制御するために行われてもよい。ＲＴＳＰシグナリングでは、ＣＳＳは、ＭＧＣ５４からパラメータ設定要求に含まれる前述のＤＴＭＦキー押下の情報を受信時に、ANNOUNCEメッセージの中に新たなメディアストリームの新たなＲＴＰアドレス及びポートを含めることにより返答するようにも構成されてもよい。その結果として、ビデオデータコンテンツが、ＲＴＳＰの制御のもとでＲＴＰを用いてＣＳＳ１７からＭＧＷ５５へストリーミングされてもよい。
【００７２】
次いで、ＭＧＣ５４は、ＭＧＷ５５を制御して、ＣＳＳ１７からビデオデータコンテンツを受信させる。ＭＧＷ５５は、受信したビデオデータコンテンツをＶＩＧｏｒｉｇとユーザ装置ＵＥ１との間のマルチメディア接続におけるビデオ用論理チャネルに転送してもよい。
【００７３】
図８は、本発明の例示的な実施形態に係る別のシグナリング図を示す。図８は特に、移動無線通信システム１Ｂにおいてユーザ装置ＵＥ１とユーザ装置ＵＥ２との間の通信を設定するための本発明の一実施形態を、より詳細に表す別のシグナリング図を示す。シグナリング８１〜８４は、図４のシグナリング４１〜４４に相当する。
【００７４】
しかし図８では、3G-324M IAMメッセージ８４を受信すると、ＶＩＧ９のＶＩＧｏｒｉｇは、ＶＩＧｏｒｉｇとユーザ装置ＵＥ１との間のマルチメディア接続が確立されるということであれば、当該マルチメディア接続にデータコンテンツを供給するためにＩＭＳコアネットワーク１０を招待する手段として、ＩＭＳコアネットワーク１０にSIP INVITEメッセージ８５を送信してもよい。ＩＭＳコアネットワーク１０は、例えばＩＭＳアプリケーションサーバでSIP INVITEメッセージ８５を受信してもよい。次いで、ＩＭＳコアネットワーク１０は、SIP INVITEメッセージ８６の中にオーディオ及びビデオフォーマット用の記述子などの記述子部分を含め、そのSIP INVITEメッセージ８６をＶＩＧ９のＶＩＧｔｅｒｍに送信してもよい。SIP INVITEメッセージ８６のセッション記述プロトコルＳＤＰは、オーディオ記述子及びビデオ記述子がSIP INVITEメッセージ８５で与えられている場合、それら両方を含んでもよい。
【００７５】
シグナリング８７〜８１２は、図４のシグナリング４６〜４１１に相当する。しかしながら本実施形態では、ＶＩＧｔｅｒｍは、ACMメッセージ８１２を受信すると、当該ACMメッセージ８１２をSIP 180 RINGINGメッセージ８１３にマッピングし、ＩＭＳコアネットワーク１０に送信する。ＩＭＳコアネットワーク１０は、SIP 180 RINGINGメッセージ８１４をＶＩＧｏｒｉｇに戻すことで応答する。ＶＩＧｏｒｉｇは、SIP 180 RINGINGメッセージ８１４をACMメッセージ８１５にマッピングしてＭＳＳ５に転送し、ＭＳＳ５はユーザ装置ＵＥ１をアラート８１６することになる。シグナリング８１７〜８１８は、図４のシグナリング４１５〜４１６に相当する。
【００７６】
ＶＩＧｔｅｒｍは、ANMメッセージ８１８を受信すると直ぐに、当該ANMメッセージ８１８をSIP 200 OKメッセージ８１９にマッピングし、それをＩＭＳコアネットワーク１０に送信する。音声へのフォールバックが行われたので、ＶＩＧｔｅｒｍは使用中のオーディオ記述子、すなわち、ユーザ装置ＵＥ２から受信したオーディオ記述子だけを含めであろう。SIP 200 OKメッセージ８１９を解析することによって、ＩＭＳコアネットワーク１０は、ＶＩＧｔｅｒｍを介してＶＩＧｏｒｉｇとユーザ装置ＵＥ２との間に音声接続だけが設定されることを理解してもよい。次いで、ＩＭＳコアネットワーク１０は、SIP 200 OKメッセージ８２０をＶＩＧｏｒｉｇに送信する。ＩＭＳコアネットワーク１０は、SIP 200 OKメッセージ８２０のＳＤＰの中に、ユーザ装置ＵＥ２から受信した使用中のオーディオ記述子を含めてもよいが、さらにＩＭＳコアネットワーク１０に属するビデオ記述子も含めてもよい。ＩＭＳコアネットワーク１０は、今日においてはデータコンテンツをＶＩＧｏｒｉｇに送信開始またはストリーミング開始する準備ができており、ＶＩＧｏｒｉｇは送信されたデータコンテンツをユーザ装置ＵＥ１に向けてマルチメディア接続のビデオチャネルに転送することになる。ＩＭＳコアネットワーク１０はまた、ＩＭＳコアネットワーク１０がユーザ装置ＵＥ１へのビデオの送信だけを望み、ビデオ情報の受信を望まないことを、SIP 200 OKメッセージ８２０のＳＤＰを介してＶＩＧｏｒｉｇに知らせてもよい。シグナリング８２１〜８２２は、ＶＩＧ９のＶＩＧｏｒｉｇとユーザ装置ＵＥ１との間にマルチメディア接続を設定するシグナリング８２３を可能にするであろう。
【００７７】
ＶＩＧｏｒｉｇは、ユーザ装置ＵＥ１とＶＩＧｏｒｉｇとの間にマルチメディア接続を設定し、ＶＩＧｔｅｒｍを介したＶＩＧｏｒｉｇとユーザ装置ＵＥ２との間の音声接続との相互接続を可能にするために、ユーザ装置ＵＥ１とのシグナリング８２３を実行する。図４及び６のそれぞれのシグナリング４２０及び６２０と同様に、シグナリング８２３は、メディアネゴシエーションシグナリングでもよい。メディアネゴシエーションシグナリングは、適切なメディアフォーマットをネゴシエートし、マルチメディア接続のオーディオ用論理チャネルとビデオ用論理チャネルの両方を開くために行われてもよい。シグナリングは、Ｈ．２４５プロトコルを使用して行われてもよい。
【００７８】
ＶＩＧｏｒｉｇは、マルチメディア接続の着信信号を分離する。次いでＶＩＧｏｒｉｇは、ユーザ装置ＵＥ２からのオーディオをマルチメディア接続のオーディオ用論理チャネルを通じてユーザ装置ＵＥ１へ送信してもよく、さらにユーザ装置ＵＥ１からのオーディオを、ＶＩＧｔｅｒｍを介した音声接続を通じてユーザ装置ＵＥ２に送信してもよい。さらに、ＶＩＧ９のＶＩＧｏｒｉｇは、ＩＭＳコアネットワーク１０からのビデオデータコンテンツを受信し、当該ビデオデータコンテンツをマルチメディア接続のビデオ用論理チャネルを通じてユーザ装置ＵＥ１に送信またはストリーミングしてもよい。
【００７９】
上述のシグナリングの結果として、オーディオ通信が、発信側のユーザ装置ＵＥ１と着信側のユーザ装置ＵＥ２との間に確立される。マルチメディア接続は、例えばＨ．２２３多重化プロトコルを使用する６４ｋｂｉｔ／ｓの非制限デジタル接続でもよい。さらに、マルチメディア接続は今日においてはＲＴＰビデオストリームに接続されてもよく、そのＲＴＰビデオストリームはＩＭＳコアネットワーク１０によって提供されてもよい。ＶＩＧｏｒｉｇからＭＳＳ１１への音声接続は、図４において述べたように、ＲＴＰオーディオストリームを使用してもよい。さらに、ＭＳＳ１１とユーザ装置ＵＥ２との間の音声接続は、図４に関して述べたように、標準２Ｇ  ＴＤＭ（Time Division Multiplexing）接続を使用して行われてもよい。
【００８０】
図９は、本発明の一実施形態に係る移動ソフトスイッチソリューション５及び１１の動作例を示す。これまでに上述した例示的な状況では、移動無線通信システム１Ｂの発信側のＭＳＳ５に関連付けられたユーザ装置ＵＥ１のユーザが、移動無線通信システム１Ｂの着信側のＭＳＳ１１に関係するユーザ装置ＵＥ２のユーザへのマルチメディア通話を試みる。それ故、ユーザ装置ＵＥ１は、ＭＳＳ５にマルチメディア通話設定を送信する。
【００８１】
ＭＳＳ５は、マルチメディア通話設定を受信する。受信したマルチメディア通話設定に応えて、ＭＳＳ５は、回線交換ネットワーク８を通して、ユーザ装置ＵＥ２が関連付けられたＭＳＳ１１にマルチメディア通話要求を送信する。ＭＳＳ１１は、マルチメディア通話要求を受信する。ＭＳＳ１１は、ユーザ装置ＵＥ２が３Ｇサービスエリア２及び１５内に存在しないか、またはユーザ装置ＵＥ２がマルチメディア通話を受信できないことを発見する。それ故、ＭＳＳ１１は、ＭＳＳ５に解除メッセージを返信する。解除メッセージに解除理由が示されていてもよい。
【００８２】
Ｓ９１では、ＭＳＳ５は、マルチメディア通話の解除を検出する。ＭＳＳ５は、この場合ＭＳＳ１１が相当する、別のＭＳＳからRELEASEメッセージを受信することで、マルチメディア通話の解除を検出してもよい。しかし、ユーザ装置ＵＥ２が例えば当該装置の地理的サービスエリア内にあるということであれば、ＭＳＳ５は、自ネットワーク内から解除を検出できるだろう。
【００８３】
Ｓ９２では、ＭＳＳ５は、Ｓ９１でのマルチメディア通話の検出に応えて、マルチメディア通話要求を図２のＶＩＧ９に送信する。
【００８４】
図１０は、本発明の一実施形態に係る移動ソフトスイッチソリューション５及び１１の別の動作例を示す。この例示的な状況は、上述した図９における状況に相当する。
【００８５】
Ｓ１０１は、図９において説明したＳ９１に相当する。
【００８６】
しかしＳ１０２では、ＭＳＳ５は、マルチメディア通話の解除理由を解析する。例えば、これは、フラグがRELEASEメッセージに設定されているかどうかを監視することによって、またはＭＳＳ１１から受信した解除理由を示す特定の理由コードｘを監視することによって行われてもよい。
【００８７】
Ｓ１０３では、ＭＳＳ５は、マルチメディア通話の解除理由情報をＶＩＧ９への3G-324M IAMメッセージに含める。例えば、これは、3G-324M IAMメッセージにマルチメディア通話解除の理由を示すフラグを設定することで行われてもよい。
【００８８】
Ｓ１０４では、ＭＳＳ５は、3G-324M IAMメッセージをＶＩＧ９に送信する。
【００８９】
マルチメディア通話解除に関する情報が図４、６及び８のそれぞれにおける3G-324M IAMメッセージ４４、６４及び８４に含まれている場合、図４に示されるシグナリング図のシグナリング４６〜４７、図６に示されるシグナリング図のシグナリング６６〜６７、及び図８に示されるシグナリング図のシグナリング８７〜８８は、ＶＩＧ９によって省略されてもよい。図４、６、８では、このシグナリングは破線内に示されている。図５において、代わりにＶＩＧ９のＶＩＧｔｅｒｍは、この動作例に係るマルチメディア通話解除の理由に関する情報に基づき、ユーザ装置ＵＥ２の状態を直接検出するように構成されてもよいことにも注意してもよい。ＶＩＧ９のＶＩＧｔｅｒｍは、加入者データベースに格納された情報に基づき、ユーザ装置ＵＥ２の状態を直接検出するようにも構成されてもよい。
【００９０】
上述した本発明の全ての実施形態において、ＶＩＧ９は、３Ｇユーザ装置ＵＥ１、すなわち３Ｇ−３２４Ｍ端末とＶＩＧ９との間の相互接続性に起因して生じるかもしれない問題を処理するように構成された機能を、さらに含んでもよい。以下では、図４におけるシグナリング４２０、図７におけるシグナリング７２０、及び図８におけるシグナリング８２３で実行されてもよい動作を述べる。
【００９１】
上述の実施形態で提示された解決手段は、３Ｇユーザ装置ＵＥ１と、ＶＩＧ９のＶＩＧｏｒｉｇとの間の３Ｇ−３２４Ｍマルチメディア通話がビデオ用論理チャネルを含まないようなやり方でもよい。これは、例えばＨ．２４５メディアネゴシエーションシグナリングにおいて、ユーザ装置ＵＥ１がビデオチャネルを開くことを阻止されることを意味する。ユーザ装置ＵＥ１での３Ｇ−３２４Ｍの実装は非常に限定的であることが多いので、ビデオチャネルが含まれていない場合、ユーザ装置ＵＥ１はマルチメディア通話を解除してもよい。この制限は、ビデオチャネルがユーザ装置間で可能でないとき貴重な無線インタフェースリソースを消費しないために、ユーザ装置ＵＥ１で実施されてもよい。
【００９２】
しかしこれは、例えばＨ．２４５メディアネゴシエーションシグナリングの中で、ＵＥ１が記述する３Ｇ−３２４Ｍ端末能力に基づき、ＶＩＧ９のＶＩＧｏｒｉｇがユーザ装置ＵＥ１へのビデオチャネルを設定することを阻止しない。これは、例えば、Ｈ．２４５メディアネゴシエーションシグナリングの中で受信された受信Ｈ．２４５ベンダ表示メッセージに基づき、ユーザ装置ＵＥ１のタイプ及びその既知の能力を識別することで実行されてもよい。
【００９３】
そこで、ユーザ装置ＵＥ１の制限を識別することによって、ＶＩＧｏｒｉｇは、ユーザ装置ＵＥ１がマルチメディア通話を解除することを阻止するために、例えばユーザ装置ＵＥ１が必要とするシグナリングを実行してもよい。これは、例えば、ＶＩＧ９から送信されたＨ．２４５端末能力セット（ＴＣＳ：Terminal Capability Set）の中でユーザ装置ＵＥ１のビデオ通話機能を示すか、またはＶＩＧ９においてビデオＨ．２４５オープン論理チャネル（ＯＬＣ：Open Logical Channel）にOLCackまたはOLCrejで認識することであろう。Ｈ．２４５メディアネゴシエーションシグナリングのさらなる例は、（OLCackがＶＩＧ９から送信された場合）ユーザ装置ＵＥ１からのビデオストリームを承認するが無視すること、送信すべきビデオストリームがないにもかかわらず、ＯＬＣを有するＵＥ１にビデオチャネルを開くこと、及び（ＯＬＣａｃｋがＶＩＧ９から送信された場合）ビデオストリームをチャネルに供給することの少なくともいずれかである。これらの動作は、ユーザ装置ＵＥ１とＶＩＧ９のＶＩＧｏｒｉｇとの間で起こることがある相互接続性問題を克服し、３Ｇ−３２４Ｍを使用するユーザ装置ＵＥ１へのより柔軟な相互作用を可能にしうる。
【００９４】
上記の説明は、ビデオゲートウェイ９に関して行われているが、本発明を実施するために他の中間ノードが使用されてもよいことにも注意すべきである。説明は、限定的に解釈されることを意図しておらず、本発明の一般原理を単に説明する目的で行われている。本発明の範囲は、許可された特許請求の範囲に準拠してのみ確定されるべきである。
【図１】
0005450444.tif 000002
【図２】
0005450444.tif 000003
【図３】
0005450444.tif 000004
【図４】
0005450444.tif 000005
【図５】
0005450444.tif 000006
【図６】
0005450444.tif 000007
【図７】
0005450444.tif 000008
【図８】
0005450444.tif 000009
【図９】
0005450444.tif 000010
【図１０】
0005450444.tif 000011